(57)【要約】【課題】無線通信以外の複数の機能を有する無線機の着信時の接続率を向上する。【解決手段】無線通信機能を行う無線回路１０３と、無線通信機能とは別の少なくとも１つの機能を担う機能回路１０５と、前記機能回路で用いる信号線の本数を減らすように切り替える、前記信号線をシングルエンド伝送から差動伝送の信号線に切り替える、前記信号線を低振幅に切り替える、のうち少なくとも１つの切替制御を行う制御回路１０４と、を備え、前記無線回路は前記機能回路による雑音が低減された状態で無線通信を行うことを可能としている。【選択図】図１
2008236357.tif 000002
【特許請求の範囲】
【請求項１】
無線通信機能を行う無線回路と、
無線通信機能とは別の少なくとも１つの機能を担う機能回路と、
前記機能回路で用いる信号線の本数を減らすように切り替える、
前記信号線をシングルエンド伝送形態から差動伝送形態の信号線に切り替える、
前記信号線を低振幅に切り替える、
のうち少なくとも１つの切替制御を行う制御回路と、
を備え、
前記切替制御の結果、前記機能回路の動作による雑音を低減した状態で前記無線回路が無線通信を行うことを可能としてなる、無線通信装置。
【請求項２】
前記制御回路は、
受信レベルが予め定めた基準値以下のとき、前記切替制御を行い、
受信レベルが予め定めた基準値よりも大のときには、前記切替制御は行わない、
請求項１記載の無線通信装置。
【請求項３】
前記制御回路は、
受信レベルが予め定めた基準値以下のとき、前記切替制御を行い、
その後、受信レベルが予め定めた基準値よりも大となった場合、前記切替制御に対応して、
前記機能回路で用いる信号線の本数をもとの本数に戻す、
前記信号線を差動伝送形態からもとのシングルエンド伝送形態の信号線に戻す、
前記信号線を低振幅からもとの振幅に戻す、
のうち少なくとも１つの切替制御を行うことで、もとの状態に復帰させる、
請求項１記載の無線通信装置。
【請求項４】
前記制御回路は、着信時、又は通信接続時に、受信レベルが予め定めた基準値以下のとき、前記切替制御を行う、
請求項１乃至３のいずれか一に記載の無線通信装置。
【請求項５】
無線通信を行う無線回路と、
無線通信機能とは別の機能を担う機能回路と、
前記無線回路と前記機能回路を制御する制御回路と、
を備え、
前記制御回路は、
着信時又は無線通信接続時に、
前記無線回路での受信レベルが予め定めた基準値以下のとき、
前記制御回路と前記機能回路との間の信号線、及び／又は、前記機能回路内部の信号線の本数を減らすように切り替え制御する、
無線通信装置。
【請求項６】
無線通信を行う無線回路と、
無線通信機能とは別の機能を担う機能回路と、
前記無線回路と前記機能回路を制御する制御回路と、
を備え、
前記制御回路は、
着信時又は無線通信接続時に、
前記無線回路での受信レベルが予め定めた基準値以下のとき、
前記制御回路と前記機能回路との間の信号線、及び／又は、前記機能回路内部の信号線を差動信号に切り替え制御する、
無線通信装置。
【請求項７】
前記無線回路での受信レベルが予め定めた基準値以下のとき、
前記信号の振幅を低減する、請求項６記載の無線通信装置。
【請求項８】
請求項１乃至７のいずれか一記載の無線通信装置からなる携帯電話機。
【請求項９】
無線通信機能を行い、前記無線通信機能とは別の少なくとも１つの機能を担う機能回路を有する無線通信装置における制御方法であって、
前記機能回路で用いる信号線の本数を減らすように切り替える、
前記信号線をシングルエンド伝送形態から差動伝送形態の信号線に切り替える、
前記信号線を低振幅に切り替える、
のうち少なくとも１つの切替制御を行い、
前記切替制御の結果、前記機能回路の動作による雑音を低減した状態で前記無線回路が無線通信を行うことを可能としてなる、無線通信装置の制御方法。
【請求項１０】
受信レベルが予め定めた基準値以下のとき、前記切替制御を行い、
受信レベルが予め定めた基準値より大のときには、前記切替制御は行わない、
請求項９記載の無線通信装置の制御方法。
【請求項１１】
前記制御回路は、
受信レベルが予め定めた基準値以下のとき、前記切替制御を行い、
その後、受信レベルが予め定めた基準値よりも大となった場合、前記切替制御に対応して、
前記機能回路で用いる信号線の本数をもとの本数に戻す、
前記信号線を差動伝送形態からもとのシングルエンド伝送形態の信号線に戻す、
前記信号線を低振幅からもとの振幅に戻す、
のうち少なくとも１つの切替制御を行うことで、もとの状態に復帰させる、
請求項９記載の無線通信装置の制御方法。
【請求項１２】
着信時又は通信接続時、受信レベルが予め定めた基準値以下のとき、前記切替制御を行う、
請求項９乃至１１のいずれか一に記載の無線通信装置の制御方法。
【発明の詳細な説明】
【技術分野】
【０００１】
本発明は、無線通信装置に関し、特に、携帯電話端末等の接続効率の向上に好適な方法と装置に関する。
【背景技術】
【０００２】
近時、携帯電話端末には、無線通信装置としての電話機能だけでなく、ブラウザ、ＴＶ視聴機能、音楽再生機能、ＧＰＳ（Ｇｌｏｂａｌ  Ｐｏｓｉｔｉｏｎｉｎｇ  Ｓｙｓｔｅｍ）、カメラ機能等、数多くの機能が実装されている。このため、これらの機能が動作中に発生する雑音の影響により、電波の受信レベルが低い環境下では、着信があっても接続できない、あるいは通信中に切断する、という事態が発生するようになってきた。
【０００３】
なお、後述される本発明の技術の一部分に関連してサーチされた先行文献について説明しておく。電波の受信レベルに基づく接続切替制御の技術として、例えば特許文献１には、伝言基地局装置において、受信レベル検出手段による発信元携帯電話端末からの電波が一定受信レベルである場合、自装置を経由しないで通常基地局装置を経由して発信先携帯電話端末に接続するように切り替える構成が開示されている。また、特許文献２には、オーディオ再生装置が再生モードにあるときに着呼があると、オーディオ再生装置の再生信号にミューティングをかけ、リンガ信号が再生信号に代わってヘッドホーンに供給され、着呼が告げられ、ユーザが着呼を受けるキー操作を行うと、通話ができる状態となり、オーディオ再生装置は停止モードとなる構成の携帯電話機が開示されている。しかしながら、これらの先行文献の発明は、通信機能以外の機能が動作中に発生する雑音の影響により、通信が切断する、着信ができないという課題を解決するものではない。
【０００４】
【特許文献１】特開２００２−０３４０７４号公報
【特許文献２】特許第３１５９３２１号公報
【発明の開示】
【発明が解決しようとする課題】
【０００５】
上記課題を解決するために、例えば先願（特願２００７−００８４１６号；本願出願時：未公開）では、
・雑音を発生する機能の動作を停止させる、
・動作時間を短くする、あるいは、
・動作クロック周波数を低い周波数や高調波が受信周波数帯と一致しない周波数に変更する、
ことで、雑音の影響を受けないようにし、接続成功率の向上を図るようにした発明を提案している。
【０００６】
本発明は、上記先願とは、別の制御形態で、接続成功率の向上を図る方法と装置を提供することを目的とする。
【課題を解決するための手段】
【０００７】
本願で開示される発明は、前記課題を解決するため、概略以下の構成とされる。
【０００８】
本発明は、電波の受信レベルが予め定められた基準値（閾値）以下の環境下で着信があった場合、通信に直接関与しない機能で用いる信号線の本数を減らすか、信号の振幅を小さくすることで雑音の影響を受けにくくし、接続率を向上する。
【０００９】
本発明に係る無線通信装置は、無線通信機能を行う無線回路と、
無線通信機能とは別の少なくとも１つの機能を担う機能回路と、
前記機能回路で用いる信号線の本数を減らすように切り替える、
前記信号線をシングルエンド伝送形態から差動伝送形態の信号線に切り替える、
前記信号線を低振幅に切り替える、
のうち少なくとも１つの切替制御を行う制御回路と、
を備え、前記切替制御の結果、前記機能回路の動作による雑音を低減した状態で前記無線回路が無線通信を行うことを可能としている。
【００１０】
本発明において、前記制御回路は、受信レベルが予め定めた基準値以下のとき、前記切替制御を行い、受信レベルが予め定めた基準値よりも大のときには、前記切替制御は行わない。
【００１１】
本発明において、前記制御回路は、
受信レベルが予め定めた基準値以下のとき、前記切替制御を行い、
その後、受信レベルが予め定めた基準値よりも大となった場合、前記切替制御に対応して、
前記機能回路で用いる信号線の本数をもとの本数に戻す、
前記信号線を差動伝送形態からもとのシングルエンド伝送形態の信号線に戻す、
前記信号線を低振幅からもとの振幅に戻す、
のうち少なくとも１つの切替制御を行うことで、もとの状態に復帰させる。
本発明において、前記制御回路は、着信時、又は通信接続時に、受信レベルが予め定めた基準値以下のとき、前記切替制御を行う。
【００１２】
本発明に係る方法は、無線通信機能を行い、前記無線通信機能とは別の少なくとも１つの機能を担う機能回路を有する無線通信装置の制御方法であって、
前記機能回路で用いる信号線の本数を減らすように切り替える、
前記信号線をシングルエンド伝送形態から差動伝送形態の信号線に切り替える、
前記信号線を低振幅に切り替える、
のうち少なくとも１つの切替制御を行い、
前記機能回路による雑音が低減された状態で無線通信を行うことを可能としている。
【００１３】
また、本発明は、通信中において、希望波の受信レベルが低い環境下にある場合は、同様の処理を行い、通信が持続する。
【００１４】
本発明において、通信中に受信レベルが高い環境に移動した場合は、元の状態にもどす制御を行う。
【発明の効果】
【００１５】
本発明によれば、無線通信以外の複数の機能を有する無線通信装置において、着信時の接続率を向上することができる。
【発明を実施するための最良の形態】
【００１６】
上記した本発明についてさらに詳細に説明すべく添付図面を参照して以下に説明する。図１は、本発明の一実施の形態の無線通信装置（無線機）の構成を示す図である。なお、特に制限されないが、本実施例では、無線通信装置は、無線通信機能以外に、ブラウザ、ＴＶ視聴機能、音楽再生機能、ＧＰＳ、カメラ機能等の機能の少なくとも一つに対応する機能回路を備えた携帯電話端末とする。図１に示すように、無線通信装置１０１は、アンテナ１０２、無線回路１０３、制御回路１０４、機能回路１０５を備えている。アンテナ１０２は、不図示の基地局からの電波を受信し、無線回路１０３に導く。また、アンテナ１０２は、無線回路１０３で生成された送信波を、不図示の基地局に向けて放射する。
【００１７】
無線回路１０３は、送信データを送信波としてアンテナ１０２から送信し、アンテナ１０２での受信波から受信データを復調する回路である。特に制限されないが、無線回路１０３は、アンテナ１０２で受信した信号を低雑音増幅し直交復調する受信部と、送信信号を直交変調し電力増幅して送信波をアンテナ１０２から放射させる送信部とを備えた無線（ＲＦ）部（不図示）と、送信信号を符号化して無線部へ供給し、無線部からの受信信号の復号化等のベースバンド処理を行うベースバンド処理部（不図示）を備えている。ベースバンド処理部では、ＲＳＳＩ（Ｒｅｃｅｉｖｅｄ  Ｓｉｇｎａｌ  Ｓｔｒｅｎｇｔｈ  Ｉｎｄｉｃａｔｏｒ）等を測定を行い、制御回路１０４に通知する。
【００１８】
制御回路１０４は、無線回路１０３と機能回路１０５の制御を行う。また制御回路１０４は、着信時あるいは通信接続時等に、無線回路１０３で測定された受信レベルが、予め定められた基準値（閾値）以下であるか否かを判定し、判定結果に基づき、機能回路１０５と制御回路１０４間の信号本数の切り替え制御を行う。
【００１９】
機能回路１０５は、いずれも不図示の表示装置をなすＬＣＤ（Ｌｉｑｕｉｄ  Ｃｒｙｓｔａｌ  Ｄｉｓｐｌａｙ）、ＧＰＳ、カメラ、ＬＥＤ（Ｌｉｇｈｔ  Ｅｍｉｔｔｉｎｇ  Ｄｉｏｄｅ）、外部メモリ等、無線通信機能に、直接使用されない機能を司る回路である。機能回路１０５の動作周波数の向上、バス幅の拡大等により、動作中に発生する雑音（例えばＣＭＯＳ回路で発生するスイッチング雑音や並列バスでの同時スイッチング雑音）は、前述したように、何も対策を施さないと、通信に影響を与える。
【００２０】
以下では、説明を容易とするため、制御回路１０４と機能回路１０５とは、図２に示すように、クロック信号線ＣＬＫと、３本のデータ信号線ＤＡＴＡ１〜ＤＡＴＡ３の計４本の信号線で接続されているものとする。なお、本発明において、信号線の本数は、４本に制限されるものでないことは勿論である。
【００２１】
図３は、図２に示した接続構成の制御回路１０４と機能回路１０５において、通信時に、データ信号線ＤＡＴＡ２とＤＡＴＡ３の使用を停止させる制御手順を示すフローチャートである。図２及び図３を参照して、本実施の形態の動作を説明する。
【００２２】
機能回路１０５が、クロック信号線ＣＬＫのクロックで駆動され、データ信号線ＤＡＴＡ１〜ＤＡＴＡ３を用いて動作しているときに、不図示の基地局より、着信要求があった場合（ステップＳ１）、制御回路１０４は、受信レベルが基準値以下であるか否かの判定を行い（ステップＳ２）、電波の受信レベルが基準値以下である場合（ステップＳ２のｙｅｓ分岐）、ＤＡＴＡ２とＤＡＴＡ３の使用を停止した上で（ステップＳ３）、着信処理を行う（ステップＳ４）。電波の受信レベルが基準値より大の場合（ステップＳ２のｎｏ分岐）、データ信号線ＤＡＴＡ１〜ＤＡＴＡ３をそのまま用いた状態で着信処理が行われる（ステップＳ４）。
【００２３】
図４は、図３のステップＳ３の動作を説明するための図である。
【００２４】
図４（Ａ）に示すように、制御回路１０４と機能回路１０５の間でクロック信号線ＣＬＫとデータ信号線ＤＡＴＡ１〜ＤＡＴＡ３に信号が伝送されている状態から、図４（Ｂ）に示すように、データ信号線ＤＡＴＡ２とＤＡＴＡ３の使用を停止し（例えばＬＯＷレベル固定）、クロック信号線ＣＬＫ、データ信号線ＤＡＴＡ１を使用する制御に切り替える。そして、図４（Ｂ）の接続状態で、着信処理を行う。
【００２５】
図４（Ｂ）に示すように、使用するデータ信号線の本数を１本としたことで、雑音は、３本のデータ信号線全てを使う場合と比べて低減される。このため、低減された雑音環境下（ＥＭＩ（ＥｌｅｃｔｒｏＭａｇｔｅｔｉｃ  Ｉｍｍｕｎｉｔｙ）を低減した環境）で、着信処理が行われることになる。なお、データ信号線ＤＡＴＡ２とＤＡＴＡ３の使用を停止した場合に、制御回路１０４と機能回路１０５とは、データ信号線ＤＡＴＡ２、ＤＡＴＡ３を介してデータを送受しないような制御形態とするか、あるいは、図４（Ａ）の接続構成において、データ信号線ＤＡＴＡ２とＤＡＴＡ３を介して転送されるべきデータを、図４（Ｂ）の接続構成に切り替え後は、データ信号線ＤＡＴＡ１上を、もともとＤＡＴＡ１を転送されるデータとともに、時分割して、シリアルに転送するようにしてもよい。
【００２６】
また、機能回路１０５をなす外部メモリへのアクセス動作中に、着信があった場合、受信レベルが低い環境下であれば、制御回路１０４は、機能回路１０５との間のデータ信号線の本数を減らし、データの転送速度を落とす。
【００２７】
図５は、本発明の第２の実施の形態を説明するための波形図である。本実施の形態では、電波の受信レベルが基準値以下であったとき、クロック信号線ＣＬＫ、データ信号線ＤＡＴＡ１〜ＤＡＴＡ３を、逆位相の２本の信号を１対で扱う差動信号線ＣＬＫ−、ＣＬＫ＋、ＤＡＴＡ−、ＤＡＴＡ＋に切り替え、シングルエンド信号の通常時よりも、振幅を小さくする。シングルエンド伝送の場合、０ＶをＬＯＷ（論理０）、２．５ＶをＨＩＧＨ（論理１）とすると、０と１の間の遷移に２．５Ｖの振幅を要する。これに対して、差動信号伝送の場合、２．１ＶをＬＯＷ（論理０）、２．５ＶをＨＩＧＨ（論理１）とすれば、０と１の遷移に必要な電位差（振幅）は０．４Ｖで済み、低振幅化を図ることができる。差動信号伝送は、低振幅化、ＥＭＩの低減、耐ノイズ性の向上、さらに、スイッチング雑音を逆相の２本のラインで相殺している。なお、データ信号線ＤＡＴＡ１〜ＤＡＴＡ３のうち、前記第１の実施の形態のように、データ信号線ＤＡＴＡ１のみを差動伝送形態の信号線対に切り替え、他のＤＡＴＡ２、ＤＡＴＡ３は不使用とするようにしてもよい。ある信号に関してシングルエンド信号から差動信号とした場合も、１対の差動信号線を１つの信号線として数えてもよい。
【００２８】
上記した実施の形態の作用効果を説明する。
【００２９】
電波の受信レベルが低い環境下での着信の接続率を向上することができる。
【００３０】
電波の受信レベルが低い環境下での通信持続率を向上することができる。
【００３１】
使用する信号線の本数を減らすことで消費電流を削減できる。
【００３２】
信号の振幅を小さくすることで、消費電流を削減できる。
【００３３】
さらに、先願と相違して、雑音を発生する機能の動作を停止させなくてもよい。また、動作時間を短くする必要もない（ただし、短くしてもよい）。さらに、クロック周波数を低い周波数や、高調波が受信周波数帯と一致しない周波数に変更するような制御を行うことは必要とされない。ただし、本実施の形態において、クロック周波数を変更するようにしてもよい。
【００３４】
図６は、本発明の第３の実施の形態の構成を示す図である。本実施の形態では、制御回路１０４と機能回路１０５間を接続する信号線ではなく、機能回路１０５の内部回路１０６と、内部回路１０７を接続する信号線の使用本数を減らすか、振幅を小さくする制御が行われる。例えば、機能回路１０５がＬＣＤの場合、ドライバが表示パネルに送るデータの内部のクロック信号やデータ信号の信号線の使用本数を減らすか、あるいは、信号の振幅を小さくすることで、雑音を低減している。なお、本発明の第３の実施の形態と前記第１の実施の形態の信号線の本数の切り替え制御を組み合わせた構成としてもよいことは勿論である。
【００３５】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【００３６】
【図１】本発明の一実施の形態の無線通信装置の全体構成を示す図である。
【図２】本発明の一実施の形態の構成を示す図である。
【図３】本発明の一実施の形態の制御動作を説明するためのフローチャートである。
【図４】本発明の一実施の形態の制御動作の切替え動作を説明する波形図であり、（Ａ）は切り替え前、（Ｂ）は切り替え後の波形図である。
【図５】本発明の第２の実施の形態の切替え動作を説明する波形図である。
【図６】本発明の第３の実施の形態の構成を示す図である。
【符号の説明】
【００３７】
１０１  無線通信装置
１０２  アンテナ
１０３  無線回路
１０４  制御回路
１０５  機能回路
１０６、１０７  内部回路
【図１】
2008236357.tif 000003
【図２】
2008236357.tif 000004
【図３】
2008236357.tif 000005
【図４】
2008236357.tif 000006
【図５】
2008236357.tif 000007
【図６】
2008236357.tif 000008